(57)【要約】【課題】他人によるなりすましを防止した電子カードを提供すること。【解決手段】本発明にかかる電子カード１０は、指紋入力部１１から入力された指紋情報をもとに使用者が真正の使用者か否かを判断する指紋処理部１２と、リーダライタ２０との間で無線通信を行なうＲＦＩＤ処理部１４と、指紋処理部１２の判断結果に基づいてＲＦＩＤ処理部１４における無線通信処理を制御する制御部１７とを備える。制御部１７は、指紋処理部１２が使用者が真正の使用者であると判断した場合に、ＲＦＩＤ処理部１４に対してリーダライタ２０との間の無線通信を許可する。【選択図】      図１
2005338995.tif 000002
【特許請求の範囲】
【請求項１】
外部装置との間で無線通信を行なう無線通信手段を備えた情報媒体において、
個人生体情報を入力する入力手段と、
予め取得された使用者の個人生体情報を記憶する記憶手段と、
前記入力手段によって入力された個人生体情報と前記記憶手段に記憶された個人生体情報とを比較し、使用者が真正な使用者か否かを判断する認証手段と、
前記認証手段が真正な使用者であると判断した場合に、前記無線通信手段を用いた情報通信を許可する制御手段と、
を備えたことを特徴とする情報媒体。
【請求項２】
電力を供給する電力供給手段を備えたことを特徴とする請求項１に記載の情報媒体。
【請求項３】
前記記憶手段は、所定の識別情報を記憶し、
前記無線通信手段は、前記外部装置から送信された応答要求電波を受信し、該応答要求電波に応じて前記識別情報を含む応答電波を前記外部装置に対して送信し、
前記制御手段は、前記応答要求電波に応じて、前記無線通信手段に対して前記応答電波を送信させ、前記記憶手段に対して前記識別情報の書替えおよび書き込みを行なうことを特徴とする請求項１または２に記載の情報媒体。
【請求項４】
前記電力供給手段は、二次電池であることを特徴とする請求項１〜３のいずれか一つに記載の情報媒体。
【請求項５】
前記認証手段の判断結果を表示出力する表示手段を備え、
前記制御手段は、前記表示手段に対して、前記認証手段の判断結果を表示させることを特徴とする請求項１〜４のいずれか一つに記載の情報媒体。
【請求項６】
前記個人生体情報は、指紋の特徴を含む情報であることを特徴とする請求項１〜５のいずれか一つに記載の情報媒体。
【発明の詳細な説明】
【技術分野】
【０００１】
この発明は、外部装置との間で無線通信を行なう無線通信手段を備えた情報媒体に関する。
【背景技術】
【０００２】
磁気テープに個人情報等を記録した磁気カードに代わり、マイクロプロセッサやメモリを構成する集積回路が埋め込まれた非接触型の電子カードをクレジットカードとして利用することが提案されている（特許文献１参照）。このような電子カードでは、使用者本人であることを確認する方法として、たとえば、電子カードとの間で情報の授受を行うリーダライタに使用者が暗証番号を入力する方法が知られている。この方法では、予め電子カードに暗証番号を記憶させておき、電子カードをリーダライタに近接することによってリーダライタに読み取られた暗証番号と、利用者によってリーダライタに入力された暗証番号とを比較する。そして、両方の暗証番号が一致した場合に、使用者は真正の使用者であると判断され、使用者は電子カードを利用することができる。
【０００３】
【特許文献１】特開２００１−３４７２５号公報
【発明の開示】
【発明が解決しようとする課題】
【０００４】
しかしながら、たとえば、電子カードとの間で情報の授受を行なうリーダライタを用いて、電子カードに記憶された暗証番号等の情報を取得または書替えることによって、電子カードの暗証番号を取得した他人が使用者になりすまし電子カードを不正に使用するという問題があった。
【０００５】
この発明は、上記した従来技術の欠点に鑑みてなされたものであり、他人のなりすましなどによる不正使用を防止した情報媒体であって、無線通信機能を備えた情報媒体を提供することを目的とする。
【課題を解決するための手段】
【０００６】
請求項１にかかる情報媒体は、外部装置との間で無線通信を行なう無線通信手段を備えた情報媒体において、個人生体情報を入力する入力手段と、予め取得された使用者の個人生体情報を記憶する記憶手段と、前記入力手段によって入力された個人生体情報と前記記憶手段に記憶された個人生体情報とを比較し、使用者が真正な使用者か否かを判断する認証手段と、前記認証手段が使用者が真正な使用者であると判断した場合に、前記無線通信手段を用いた情報通信を許可する制御手段と、を備えたことを特徴とする。
【０００７】
請求項１にかかる情報媒体によれば、個人生体情報に基づいて真正な使用者か否かを判断する認証手段と、認証手段の判断結果に応じて無線通信手段における無線通信を制御する制御手段とを備えることによって、使用者が真正な使用者であると判断された場合にのみ、外部装置の間において無線通信を行なうことができる。
【０００８】
請求項２にかかる情報媒体は、電力を供給する電力供給手段を備えたことを特徴とする。
【０００９】
請求項３にかかる情報媒体は、前記記憶手段は、所定の識別情報を記憶し、前記無線通信手段は、前記外部装置から送信された応答要求電波を受信し、該応答要求電波に応じて前記識別情報を含む応答電波を前記外部装置に対して送信し、前記制御手段は、前記応答要求電波に応じて、前記無線通信手段に対して前記応答電波を送信させ、前記記憶手段に対して前記識別情報の書替えおよび書き込みを行なうことを特徴とする。
【００１０】
請求項４にかかる情報媒体は、前記電力供給手段は、二次電池であることを特徴とする。
【００１１】
請求項５にかかる情報媒体は、前記認証手段の判断結果を表示出力する表示手段を備え、前記制御手段は、前記表示手段に対して、前記認証手段の判断結果を表示させることを特徴とする。
【００１２】
請求項６にかかる情報媒体は、前記個人生体情報は、指紋の特徴を含む情報であることを特徴とする。
【発明の効果】
【００１３】
本発明にかかる情報媒体によれば、個人生体情報に基づいて真正な使用者か否かを判断する認証手段と、認証手段の判断結果に応じて無線通信手段における無線通信を制御する制御手段とを備えることによって、使用者が真正な使用者であると判断された場合にのみ、外部装置の間において無線通信を行なうことができる。このように、情報媒体自体が、使用者が真正の使用者か否かを判断し、この判断結果に応じて無線通信手段の動作を制御することで、他人による情報媒体の不正使用を防止することができる。
【発明を実施するための最良の形態】
【００１４】
以下、図面を参照して、この発明の実施の形態である情報媒体について説明する。なお、この実施の形態によりこの発明が限定されるものではない。また、図面の記載において、同一部分には同一の符号を付している。
【００１５】
（実施の形態）
まず、実施の形態にかかる情報媒体について説明する。本実施の形態にかかる情報媒体として、ＲＦＩＤ（Radio Frequency Identification）機能を備え、クレジット決済処理に用いられる電子カードを一例として説明する。本実施の形態にかかる電子カードは、個人に固有の身体的特徴を表す個人生体情報に基づいて使用者が真正な使用者か否かを判断する認証手段を備え、認証手段における認証結果に応じてリーダライタとの間の無線通信を許可する。以下、実施の形態にかかる電子カードについて説明するとともに、この電子カードを備えた無線通信システムについて説明する。図１は、本実施の形態における無線通信システムの概略図である。また、図２は、本実施の形態にかかる電子カードの平面図である。
【００１６】
本実施の形態における無線通信システムは、図１に示すように、所定の識別情報等が記憶された電子カード１０と、電子カード１０との間で無線通信を行ない電子カード１０に記憶された識別情報等を取得するリーダライタ２０と、リーダライタ２０から送信された識別情報等をもとに決済処理を行なう管理装置３０とを備える。リーダライタ２０と管理装置３０とは有線または無線によって接続している。
【００１７】
リーダライタ２０は、電子カード１０に対して所定周波数の応答要求電波を送信し、この応答要求電波に応じて電子カード１０から送信される識別情報等を含む応答電波を受信することによって、電子カード１０に記憶された識別情報等を取得し、この識別情報等を管理装置３０に送出する。また、リーダライタ２０は、電子カード１０に対して所定周波数の応答要求電波を送信することによって、電子カード１０が記憶する情報の書替えおよび書き込みを行なう。
【００１８】
管理装置３０は、リーダライタ２０から送出された識別情報等を照合し、電子カード１０の有効性を確認した後、決済処理等の各処理を行う。また、管理装置３０は、必要に応じて、決済処理等の処理結果のうち、所定の情報をリーダライタ２０に送出し、リーダライタ２０に対して電子カード１０の情報の書替えおよび書き込みを指示する。
【００１９】
電子カード１０は、使用者が真正の使用者であると判断した後に、リーダライタ２０との間で無線通信を開始し、所定の識別情報等を含む応答電波をリーダライタ２０に送信し、また、リーダライタ２０からの応答要求電波に応じて記憶する情報の書替えまたは書き込みを行なう。
【００２０】
電子カード１０は、図１に示すように、指紋入力部１１と、指紋処理部１２と、アンテナ１３と、ＲＦＩＤ処理部１４と、記憶部１５と、表示部１６と、制御部１７とを備える。さらに、電子カード１０は、二次電池１８と、充電用端子部１８ａと、電源スイッチ１８ｂと整流部１９とを備える。指紋処理部１２とＲＦＩＤ処理部１４と記憶部１５と表示部１６とは、制御部１７と電気的に接続し、制御部１７は、指紋処理部１２とＲＦＩＤ処理部１４と記憶部１５と表示部１６との動作処理を制御する。また、アンテナ１３はＲＦＩＤ処理部１４と電気的に接続し、指紋入力部１１は指紋処理部１２と電気的に接続する。
【００２１】
指紋入力部１１は、個人生体情報である指紋情報の入力を行ない、入力された指紋情報を指紋処理部１２に送出する。指紋入力部１１は、たとえば、図２に示すように、電子カード１０の表面に設けられた指紋押圧領域１１ａを備え、使用者によって指紋押圧領域１１ａに指の腹が押し付けられることによって、指紋入力部１１に指紋情報が入力される。指紋入力部１１は、所定の測定点において圧力値を検出し、検出結果を指紋処理部１２に送出する。
【００２２】
指紋処理部１２は、制御部１７の制御のもと、指紋入力部１１から入力された指紋情報を処理し、取得した指紋情報と記憶部１５に予め記憶された真正の使用者の指紋情報とを比較して、使用者が真正の使用者であるか否かを判断する。指紋処理部１２は、指紋押圧領域１１ａに使用者が指の腹を押し付けた際に指紋の凹部と凸部とでは圧力値が異なることを利用して、入力された指紋情報を取得する。具体的には、指紋処理部１２は、指紋入力部１１から入力された各測定点における圧力値を処理し、指紋の凹凸に応じた圧力分布を形成することによって入力された指紋情報を取得する。次いで、指紋処理部１２は、制御部１７の制御のもと、入力された指紋情報と、記憶部１５に予め記憶された真正の使用者の指紋情報とを比較することにより、使用者が真正の使用者であるか否かを判断し、判断結果を制御部１７に送出する。
【００２３】
ＲＦＩＤ処理部１４は、制御部１７の制御のもと、リーダライタ２０との間で無線通信を行なう。ＲＦＩＤ処理部１４は、リーダライタ２０から送信された応答要求電波をアンテナ１３を介して受信し、この応答要求電波に対応する電気信号を必要に応じて復調してリーダライタ２０からの指示情報を取得する。ＲＦＩＤ処理部１４は、取得した指示情報を制御部１７に送出する。この指示情報として、記憶部１５に記憶された指示情報等を含む応答電波の送信指示のほか、記憶部１５に記憶される情報の書替え指示、または、記憶部１５に対する情報の書き込み指示がある。また、ＲＦＩＤ処理部１４は、制御部１７の制御のもと、記憶部１５に記憶された識別情報等に対応する電気信号を必要に応じて変調し、アンテナ１３に送出する。そして、ＲＦＩＤ処理部１４は、アンテナ１３に対して、この電気信号に対応する所定の電波を応答電波として送信するよう制御する。
【００２４】
アンテナ１３は、ＲＦＩＤ処理部１４の制御のもと、通信エリア内に存在するリーダライタ２０との間において、所定周波数の電波を送受信する。この場合、リーダライタ２０から送信された応答要求電波を受信し、受信した応答要求電波に対応する電気信号をＲＦＩＤ処理部１４に送出する。また、アンテナ１３は、ＲＦＩＤ処理部１４から入力された電気信号に対応する所定の電波を応答電波としてリーダライタ２０に対して送信する。アンテナ１３は、図２に示すように、ループ状に導体が巻回されたループアンテナ１３ａである。アンテナ１３は、所定周波数の電波を発するリーダライタ２０に電子カード１０が近接したときに誘導電流を発生し、接続する整流部１９に誘導電流を供給する。
【００２５】
記憶部１５は、真正の使用者の指紋情報や処理プログラム等の各種情報が予め記憶されたＲＯＭ（Read Only Memory）と、各処理の演算パラメータやリーダライタ２０から書き込まれた各種情報を記憶するＲＡＭ（Random Access Memory）とを備える。記憶部１５は、真正の使用者の指紋情報、使用者を識別する情報、電子カード１０を識別する所定の識別情報、電子カードの暗証番号に加え、電子カード１０を用いて行なわれた決済処理の履歴なども識別情報として記憶する。
【００２６】
表示部１６は、指紋処理部１２の使用者認証の判断結果を表示出力する。表示部１６は、たとえば図２に示すように、電子カード１０の表面に表示領域１６ａを備え、指紋処理部１２が使用者が真正の使用者ではないと判断した場合には、表示領域１６ａに所定のエラー表示を出力し、使用者が真正の使用者でない旨を報知する。一方、指紋処理部１２が使用者が真正の使用者であると判断した場合には、表示領域１６ａに所定の認証終了表示を行い、使用者が真正の使用である旨を報知する。また、表示部１６は、図２に示すように、表示領域１６ａに二次電池残存表示１６ｂを表示することによって、二次電池１８の残存電池量を表示する。
【００２７】
制御部１７は、記憶部１５に記憶された処理プログラムを実行するＣＰＵ（Central Processing Unit）を備える。また、制御部１７は、指紋処理部１２、ＲＦＩＤ処理部１４、記憶部１５および表示部１６の各処理または動作を制御する。制御部１７は、これらの各構成部位に入出力される情報について所定の入出力制御を行い、かつ、この情報に対して所定の情報処理を行う。制御部１７は、指紋処理部１２の判断結果に基づいて、ＲＦＩＤ処理部１４の処理動作を制御する。具体的には、指紋処理部１２が使用者が真正の使用者であると判断した場合には、制御部１７は、ＲＦＩＤ処理部１４に対してリーダライタ２０との間の無線通信を許可する。一方、指紋処理部１２が使用者が真正の使用者でないと判断した場合には、制御部１７は、ＲＦＩＤ処理部１４に対してリーダライタ２０との間の無線通信を禁止する。なお、制御部１７は、二次電池１８から電力を供給されることによって、動作を行なう。
【００２８】
二次電池１８は、制御部１７に動作電力を供給する。充電用端子部１８ａは、電子カード１０の待機時に、所定の充電装置と電気的に接続することによって、二次電池１８を充電し、二次電池１８の端子電圧をもとの電圧まで回復させる。また、電源スイッチ１８ｂは、二次電池１８の制御部に対する電力供給を制御する。すなわち、電源スイッチ１８ｂが使用者によってオン状態とされた場合には、二次電池１８の制御部１７に対する電力供給を行なう。一方、電源スイッチ１８ｂが使用者によってオフ状態とされた場合には、二次電池１８の制御部１７に対する電力供給を停止する。このように、電源スイッチ１８ｂをオフ状態とすることによって、不使用時における二次電池１８の不要な放電を防ぐことができる。整流部１９は、アンテナ１３に発生した誘導電流を交流電流から直流電流に変換し、二次電池１８に供給する。二次電池１８は、充電用端子部１８ａからの充電のほか、アンテナ１３からの誘導電流の供給によって充電される。
【００２９】
つぎに、図１に示す無線通信システムにおける処理のうち、決済処理について説明する。図３は、図１に示す無線通信システムにおける決済処理を説明するフローチャートである。図１に示す無線通信システムでは、電子カード１０は、真正の使用者であると判断した場合に、リーダライタ１０との間で無線通信を行なう。
【００３０】
使用者は、電子カード１０の指紋入力部１１に指の腹を押し付けて指紋情報を入力し、指紋入力部１１は、この場合の圧力値を検出し、各圧力値を指紋処理部１２に送出する。指紋処理部１２は、指紋入力部１１から入力された各圧力値を処理し、入力された指紋情報を取得する（ステップＳ１０２）。
【００３１】
次いで、指紋処理部１２は、入力された指紋情報と、記憶部１５に記憶された真正の使用者の指紋情報とを比較し、入力された指紋情報と記憶部１５に記憶された真正の使用者の指紋情報とは一致するか否かを判断する（ステップＳ１０４）。
【００３２】
指紋処理部１２は、入力された指紋情報と登録されていた指紋情報とが一致していないと判断した場合には（ステップＳ１０４：Ｎｏ）、使用者が真正の使用者ではないと判断し（ステップＳ１０６）、制御部１７にその旨を送出する。指紋情報は、各人に固有の生体情報であるため、入力された指紋情報が記憶部１５に記憶された真正の使用者の指紋情報と不一致である場合には、電子カード１０の使用者が真正の使用者であるとは考えられないためである。次いで、制御部１７は、指紋処理部１２による使用者が真正の使用者ではないとの判断結果を受け、表示部１６に対して所定のエラー表示を出力させ、表示部１６はエラー表示を行う（ステップＳ１０８）。また、制御部１７は、ＲＦＩＤ処理部１４に対して、リーダライタ２０との間の無線通信を禁止する（ステップＳ１１０）。このため、指紋処理部１２が電子カード１０の使用者が真正の使用者でないと判断した場合には、制御部１７によってＲＦＩＤ処理部１４とリーダライタ２０との間の無線通信が禁止されるため、電子カード１０に記憶されていた識別情報等をリーダライタ２０に対して送信することはない。また、電子カード１０に記憶される識別情報の書替えおよび電子カード１０に情報を書き込まれることもない。
【００３３】
一方、指紋処理部１２は、入力された指紋情報と記録部１５に記録されていた指紋情報とが一致していると判断した場合には（ステップＳ１０４：Ｙｅｓ）、使用者が真正の使用者であると判断し（ステップＳ１１２）、制御部１７にその旨を送出する。制御部１７は、指紋処理部１２から、使用者が真正の使用者であるとの判断を受け、指紋認証が終了した旨を報知するため、表示部１６に対して指紋認証が終了した旨を表示させ、表示部１６は、指紋認証が終了した旨を表示する（ステップＳ１１４）。
【００３４】
次いで、制御部１７は、指紋処理部１２による使用者が真正の使用者である旨の判断結果を受け、ＲＦＩＤ処理部１４に対して、リーダライタ２０との間の無線通信を許可し（ステップＳ１１６）、ＲＦＩＤ機能を動作させる。ＲＦＩＤ処理部１４は、アンテナ１３を介してリーダライタ２０から送信された応答要求電波を受信し（ステップＳ１１８）、リーダライタ２０からの指示情報を制御部１７に送出する。制御部１７は、この指示情報に応じて、記憶部１５から識別情報等を抽出し、ＲＦＩＤ処理部１４にこの識別情報等を送出する。ここで、送出する識別情報として、たとえば、使用者の氏名、生年月日、性別、年齢、電子カード１０の使用期限または電子カード１０の暗証番号などがある。ＲＦＩＤ処理部１４は、制御部１７の制御のもと、制御部１７から入力された識別情報等を応答電波としてアンテナ１３から送信する（ステップＳ１２０）。
【００３５】
次いで、リーダライタ２０は、受信した応答電波を処理することによって、識別情報等を管理装置３０に送出し、管理装置３０は、入力された識別情報をもとに、電子カード１０が有効であるかを判断する（ステップＳ１２２）。管理装置３０は、電子カード１０が有効でないと判断した場合には（ステップＳ１２２：Ｎｏ）、電子カード１０が有効でない旨を報知させるため、リーダライタ２０に対してエラー出力を行なう（ステップＳ１２４）。そして、リーダライタ２０は、このエラー出力を受けて、出力内容に対応して電子カード１０が有効でない旨を出力する。
【００３６】
一方、管理装置３０は、電子カード１０が有効であると判断した場合には（ステップＳ１２２：Ｙｅｓ）、決済処理を行なう（ステップＳ１２６）。そして、管理装置３０は、処理内容に対応してリーダライタ２０に対して電子カード１０に記憶された情報の書替えおよび書き込みを指示し、この指示に応じてリーダライタ２０は、電子カード１０に応答要求電波を送信して、電子カード１０に記憶された情報の書替えおよび書き込みを行なう。
【００３７】
このように、本実施にかかる電子カード１０では、制御部１７は、指紋処理部１２が使用者が真正の使用者であると判断した場合に、ＲＦＩＤ処理部１４とリーダライタ２０との間の無線通信を許可する。また、制御部１７は、指紋処理部１２が使用者が真正の使用者でないと判断した場合には、ＲＦＩＤ処理部１４とリーダライタ２０との間の無線通信を禁止する。すなわち、電子カード１０では、指紋処理部１２が使用者が真正の使用者であると判断した場合に限って、リーダライタ２０との間で無線通信を行なう。このため、本実施の形態にかかる電子カード１０を用いることによって、他人のなりすましによる電子カード１０の不正な決済処理を防止することができる。また、他人のなりすましによる電子カード１０の識別情報等の不正取得および電子カード１０に対する識別情報の書替え、書き込みを防止することが可能となる。したがって、本実施の形態では、電子カード１０および電子カード１０を用いた通信システムの安全性の向上を図ることができる。
【００３８】
また、電子カード１０は、動作電力を制御部１７に供給する二次電池１８を備えており、二次電池１８は、充電用端子部１８ａを介して外部装置から充電が行なわれる。このため、二次電池１８の交換は不要であり、電子カード１０の長期使用が可能である。また、電子カード１０は、電源スイッチ１８ｂを備えるため、不使用時に電源スイッチ１８ｂをオフ状態として、不使用時における二次電池１８の不要な放電を防ぐことができる。また、二次電池１８は、充電用端子部１８ａからの充電のほか、アンテナ１３から誘導電流を供給された場合も充電される。電子カード１０は、充電用端子部１８ａまたはアンテナ１３から電力が供給され充電される二次電池１８を備えるため、制御部１７に対して十分に電力を供給することができる。このため、電子カード１０の動作中における電力不足を原因とした動作停止を低減することができ、電子カード１０を安定して用いることができる。
【００３９】
また、電子カード１０は、指紋入力部１１および指紋処理部１２を備え、使用者が指紋入力部１１に対して指の腹を押圧した際の圧力を検出することによって指紋情報を取得する。このため、水や静電気の影響を受けることなく、正確に指紋情報を取得することができ、使用者の認証を確実に行なうことができる。
【００４０】
なお、実施の形態として、充電用端子部１８ａを備えた電子カード１０について説明したが、これに限らず、図４に示すように、入射された光エネルギーを直接電気エネルギーに変換する太陽電池１８ｃを備えた電子カード１０１でもよい。この場合、二次電池１８は、太陽電池１８ｃが変換した電気エネルギーを供給されることによって充電される。
【００４１】
また、実施の形態にかかる電子カードは、図５に示す電子カード１０２のように、電源スイッチ１８ｂを必ずしも必要とせず、また、図６に示す電子カード１０３のように、充電用端子部１８ａを必ずしも必要としない。また、実施の形態にかかる電子カード１０，１０１，１０２，１０３は、充電用端子部１８ａおよび電源スイッチ１８ｂをともに削除した構成としてもよい。充電用端子部１８ｂから供給された電力またはアンテナ１３から供給された誘導電流を蓄積する二次電池１８の電力を用いて動作すれば足りるためである。
【００４２】
実施の形態にかかる電子カードとして、二次電池１８を備えた場合について説明したが、図７に示すように、二次電池１８、充電用端子部１８ａ、電源スイッチ１８ｂおよび整流部１９を削除した構成である電子カード１１０であってもよい。
【００４３】
電子カード１１０では、リーダライタ２０から送信された所定周波数の電波を媒介として動作電力を得て、制御部１７が起動し、他の構成部位の動作を制御する。図８は、電子カード１１０を用いた無線通信システムにおける決済処理を説明するフローチャートである。
【００４４】
図８に示すように、電子カード１１０のアンテナ１３は、所定周波数の電波を送信するリーダライタ１０に近接することによって誘導電流を発生する（ステップＳ２０２）。この誘導電流が制御部１７などの他の構成部位の動作電力となって、制御部１７は動作を開始する（ステップＳ２０４）。次いで、制御部１７は、他の構成部位を駆動させる。
【００４５】
次いで、図３に示す処理手順と同様に、指紋処理部１２は、入力された指紋情報を取得し（ステップＳ２１２）、入力された指紋情報と記憶部１５に記憶された指紋情報とは一致するか否かを判断する（ステップＳ２１４）。指紋処理部１２は、入力された指紋情報と登録された指紋情報とが一致しないと判断した場合には（ステップＳ２１４：Ｎｏ）、使用者が真正の使用者でないと判断し（ステップＳ２１６）、この判断結果を制御部１７に送出する。制御部１７は、表示部１６に対してエラー表示を出力させるとともに（ステップＳ２１８）、ＲＦＩＤ処理部１４に対してリーダライタ２０との間の無線通信を禁止する（ステップＳ２２０）。一方、指紋処理部１２は、入力された指紋情報と記憶部１５に記憶された指紋情報とが一致したと判断した場合には（ステップＳ２１４：Ｙｅｓ）、使用者が真正の使用者であると判断し（ステップＳ２２２）、この判断結果を制御部１７に送出する。制御部１７は、この判断結果に基づいて表示部１６に対して認証終了を表示させるとともに（ステップＳ２２４）、ＲＦＩＤ処理部１４に対してリーダライタ２０との間の無線通信を許可する（ステップＳ２２６）。
【００４６】
次いで、ＲＦＩＤ処理部１４は、制御部１７の制御のもと、リーダライタ２０から応答要求電波を受信し（ステップＳ２２８）、この応答要求電波に応じて、応答電波をリーダライタ２０に対して送信する（ステップＳ２３０）。そして、管理装置３０は、リーダライタ２０を介して受信した個人情報をもとに電子カード１１０は有効か否かを判断し（ステップＳ２３２）、電子カード１１０が有効でないと判断した場合には（ステップＳ２３２：Ｎｏ）、リーダライタ２０に対してエラー出力を行わせる（ステップＳ２３４）。これに対し、管理装置３０は、電子カード１１０は有効であると判断した場合には（ステップＳ２３２：Ｙｅｓ）、決済処理を行なう（ステップＳ２３６）。
【００４７】
このように、リーダライタ２０から送信される所定周波数の電波を媒介にして動作起電力を得ることによって、二次電池１８、充電用端子部１８ａ、電源スイッチ１８ｂおよび整流部１９を省略することができ、簡易な構成である電子カードを実現することができる。
【００４８】
なお、制御部１７は、指紋処理部１２が使用者が真正の使用者でないと判断した場合には、ＲＦＩＤ処理部１４に対して通信禁止を指示する場合について説明したが、これに限らず、指紋処理部１２が使用者が真正の使用者でないと判断した場合には、記憶部１５が記憶する情報の読み書きを禁止してもよい。このように、記憶部１５が記憶する情報の読み書きを禁止することによって、他人のなりすましによる識別情報の不正取得および識別情報の書替え、書き込みを防止することができる。また、制御部１７は、指紋処理部１２が使用者が真正の使用者でないと判断した場合には、記憶部１５が記憶する情報の読み書きを禁止するとともに、リーダライタ２０に対して、使用者が真正の使用者でない旨を応答してもよい。
【００４９】
また、実施の形態では、指紋の凹部と凸部との圧力値の差に基づいて指紋情報を取得する電子カード１０，１０１，１０２，１０３，１１０について説明したが、これに限らず、指紋の凹部と凸部の伝熱特性の差に基づいて指紋情報を取得してもよく、指紋の凹部と凸部の静電容量の差に基づいて指紋情報を取得してもよい。また、指紋の凹部および／または凸部を撮像して光学的に指紋情報を取得してもよい。
【００５０】
また、実施の形態にかかる電子カード１０，１０１，１０２，１０３，１１０は、個人生体情報として指紋情報を取得することによって使用者が真正の使用者であるか否かを判断したが、これに限らず、声紋、ＤＮＡまたは手のひらの静脈などの個人生体情報を入力し、この個人生体情報にもとづき使用者が真正の使用者であるか否かを判断してもよい。
【００５１】
また、実施の形態では、ＲＦＩＤ処理部１４を備えた電子カード１０，１０１，１０２，１０３，１１０について説明したが、これに限らず、所定周波数の電波を用いて、専用の通信装置との間で無線通信機能を備えた情報媒体に適用してもよい。
【００５２】
また、実施の形態では、情報媒体の一例として、クレジット決済処理時に用いられるＲＦＩＤ機能を備えた電子カード１０，１０１，１０２，１０３，１１０について説明したが、これに限らず、使用者の認証を必要とする認証カードであればよい。たとえば、免許証や社員証などの本人証明のための認証カードや、建物等の特定領域への進入可否のもととなる認証カード、さらには、自動車、家屋等の電子施錠用鍵に適用してもよい。使用者を認証する必要のある分野で、認証処理および認証処理後に所定の処理を行なう分野における認証用の情報媒体として用いることができる。このような情報媒体に適用した場合も、真正の使用者を認証する機能を有するため、他人のなりすましを防止することができ、高度な安全性を提供することができる。また、個人情報として、氏名等のほかに、血液型、病歴、通院履歴等を記憶する認証カードであってもよい。このような認証カードを用いることによって、救急医療時に口頭による本人の身元確認が行なえない場合に指紋情報を入力することによって身元確認が可能となり、さらに、身元確認後、認証カードに記憶された個人情報を取得することによって、救急医療の遅れを回避することが可能となる。
【図面の簡単な説明】
【００５３】
【図１】実施の形態における無線通信システムの概略図である。
【図２】実施の形態における電子カードの平面図である。
【図３】実施の形態における決済処理を説明するフローチャートである。
【図４】実施の形態にかかる電子カードの他の例の概略図である。
【図５】実施の形態にかかる電子カードの他の例の概略図である。
【図６】実施の形態にかかる電子カードの他の例の概略図である。
【図７】実施の形態にかかる電子カードの他の例の概略図である。
【図８】実施の形態１における決済処理を説明するフローチャートの他の例である。
【符号の説明】
【００５４】
１０、１０１、１０２、１０３、１１０  電子カード
１１  指紋入力部
１２  指紋処理部
１３  アンテナ
１４  ＲＦＩＤ処理部
１５  記憶部
１６  表示部
１７  制御部
１８  二次電池
１８ａ  充電用端子部
１８ｂ  電源スイッチ
１８ｃ  太陽電池
１９  整流部
２０  リーダライタ
３０  管理装置
【図１】
2005338995.tif 000003
【図２】
2005338995.tif 000004
【図３】
2005338995.tif 000005
【図４】
2005338995.tif 000006
【図５】
2005338995.tif 000007
【図６】
2005338995.tif 000008
【図７】
2005338995.tif 000009
【図８】
2005338995.tif 000010